(57)【要約】【課題】本発明は、ウェブにスプレーした洗浄液によってスジ状の汚れが生じることを効果的に防止できるウェブ洗浄方法、ウェブ洗浄装置、およびウェブ粗面化処理ラインの提供。【解決手段】胴の表面が弾性材料または金属から形成され、前記ウェブが胴の下側の表面に巻き掛けられる搬送ローラ２と、胴の表面が弾性材料または金属から形成され、前記ウェブが胴の上側の面に巻き掛けられる搬送ローラ３とによってアルミニウムウェブＷを支持しつつ、搬送ローラ２の表面に上方から洗浄液を供給させて前記ウェブの洗浄を行うウェブ洗浄方法、ウェブ洗浄装置、および前記ウェブ洗浄装置を備えるウェブ粗面化処理ライン。【選択図】図１
2010052939.tif 000002
【特許請求の範囲】
【請求項１】
一定方向に搬送されるウェブを洗浄液で洗浄処理するウェブ洗浄方法であって、
胴の表面が弾性材料または金属から形成され、前記ウェブが胴の下側の表面に巻き掛けられる一の搬送ローラと、胴の表面が弾性材料または金属から形成され、前記ウェブが胴の上側の面に巻き掛けられる他の搬送ローラとによって前記ウェブを支持しつつ、
前記一の搬送ローラの表面に上方から洗浄液を供給するか、または前記洗浄液を、前記一の搬送ローラの表面における前記ウェブに接触する部分に供給して前記一の搬送ローラとウェブとの間に洗浄液の液溜りを形成すると共に、前記ウェブの一方または両方の側縁から洗浄液を流下させてウェブを洗浄処理するウェブ洗浄方法。
【請求項２】
前記一の搬送ローラの表面に向かって洗浄液噴射ノズルで洗浄液を噴射して洗浄液を供給する請求項１に記載のウェブ洗浄方法。
【請求項３】
前記洗浄液噴射ノズルの下方に樋状部材を配置し、前記洗浄液噴射ノズルから噴射された洗浄液を前記樋状部材で承け、前記樋状部材の縁部から下方に溢流させ、前記一の搬送ローラの表面に洗浄液を供給する請求項２に記載のウェブ洗浄方法。
【請求項４】
前記ウェブは、純アルミニウムまたはアルミニウム合金のウェブであって平版印刷版用支持体に加工されるアルミニウムウェブであり、前記洗浄液は、前記アルミニウムの片面または両面をアルカリエッチングまたは交流電解処理して生じるスマットを除去するデスマット処理に使用されるデスマット液であり、前記洗浄処理は前記デスマット処理である請求項１〜３の何れか１項に記載のウェブ洗浄方法。
【請求項５】
一定方向に搬送されるウェブを洗浄液で洗浄処理するウェブ洗浄装置であって、
表面が弾性材料または金属から形成され、前記ウェブが胴の下側の面に巻き掛けられる水平に配置された一の搬送ローラと、
表面が弾性材料または金属から形成され、前記ウェブが胴の上側の面に巻き掛けられる水平に配置された他の搬送ローラと、
前記一の搬送ローラの表面に上方から洗浄液を供給するか、または洗浄液を、前記一の搬送ローラの表面における前記ウェブに接触する部分に供給して前記一の搬送ローラとウェブとの間に洗浄液の液溜りを形成すると共に、前記ウェブの一方または両方の側縁から洗浄液を流下させる液溜り形成手段と、
を備えるウェブ洗浄装置。
【請求項６】
前記洗浄液供給手段は、前記一の搬送ローラの表面に向かって洗浄液を噴射する洗浄液噴射ノズルを備える請求項５に記載のウェブ洗浄装置。
【請求項７】
前記洗浄液供給手段は、前記洗浄液噴射ノズルに加え、前記洗浄液噴射ノズルの下方に配置され、前記洗浄液噴射ノズルから噴射された洗浄液を承けて下方に溢流させる樋状部材を備える請求項６に記載のウェブ洗浄装置。
【請求項８】
前記ウェブは、純アルミニウムまたはアルミニウム合金のウェブであるアルミニウムウェブであり、前記洗浄液は、前記アルミニウムの片面または両面をアルカリエッチングまたは交流電解処理して生じるスマットを除去するデスマット処理に使用されるデスマット液であり、前記洗浄処理は前記デスマット処理である請求項５〜７の何れか１項に記載のウェブ洗浄装置。
【請求項９】
純アルミニウムまたはアルミニウム合金のウェブであるアルミニウムウェブを一定方向に搬送しつつ、前記アルミニウムウェブの一方または両方の面を粗面化して平版印刷版用支持体とするウェブ粗面化処理ラインであって、
前記アルミニウムウェブを機械的に粗面化する機械的粗面化装置と、
前記機械的粗面化装置で機械的に粗面化されたアルミニウムウェブをアルカリエッチング処理するエッチング処理槽と、
前記エッチング処理槽でアルカリエッチング処理されたアルミニウムウェブを酸性電解液中で交流電解処理する電解粗面化処理槽と、
前記エッチング処理槽と前記電解粗面化処理層との間、または前記アルミニウムウェブの搬送方向に沿って前記電解粗面化処理層の下流側に配設された請求項８に記載のウェブ洗浄装置と、
を備えるウェブ粗面化処理ライン。
【発明の詳細な説明】
【技術分野】
【０００１】
本発明は、ウェブ洗浄方法、ウェブ洗浄装置、およびウェブ粗面化処理ラインにかかり、特に、ウェブにスプレーした洗浄液によってスジ状の汚れが生じることを効果的に防止できるウェブ洗浄方法、ウェブ洗浄装置、およびウェブ粗面化処理ラインに関する。
【背景技術】
【０００２】
平版印刷版は、通常、純アルミニウムまたはアルミニウム合金のウェブであるアルミニウムを一定の方向に搬送しつつ、前記アルミニウムウェブの一方または両方の面を粗面化して製造された平版印刷版用支持体の粗面化面に感光性、感熱性、または光重合性の製版層を形成することにより、製造される。
【０００３】
そして、アルミニウムウェブの粗面化は、通常、機械的粗面化装置による機械的な粗面化の後、エッチング処理槽でアルカリ溶液によってエッチング処理をし、前記エッチング処理槽におけるアルカリエッチング処理後、電解粗面化処理層において酸性電解液中で交流電解処理するという手順で行われる。
【０００４】
ここで、エッチング処理後および交流電解処理後には、アルミニウムウェブの表面に灰黒色〜黒色の析出物であるスマットが生じるから、希硫酸などの酸性溶液でアルミニウムウェブの表面を洗浄してスマットを除去するデスマット処理を行うことが一般的である。
【０００５】
従来は、デスマット処理としては、アルミニウムウェブに直接デスマット液を吹き付ける方法がある（特許文献１）。
【０００６】
デスマット処理においてウェブを支持、搬送する洗浄ローラとして表面が不織布で構成されたローラを用いることも提案された（特許文献２）。
【特許文献１】特開平５−３０５７８５号公報
【特許文献２】特開平５−１０５２９５号公報
【発明の開示】
【発明が解決しようとする課題】
【０００７】
しかしながら、従来は、デスマット処理においてアルミニウムウェブに直接デスマット液を吹き付けていたので、吹き付けたデスマット処理液がアルミニウムウェブを下方に向かって流下し、アルミニウムウェブの搬送方向に沿った汚れがアルミニウムウェブの粗面化面に生じ、得えられる支持体等の外観が悪化するという問題があった。
【０００８】
また、表面が不織布で形成されたローラは、洗浄ローラとしては種々の点で好ましくない。
【０００９】
本発明は、上記問題を解決すべく成されたものであり、ウェブにスプレーした洗浄液によってスジ状の汚れが生じることを効果的に防止できるウェブ洗浄方法、ウェブ洗浄装置、およびウェブ粗面化処理ラインの提供を目的とする。
【課題を解決するための手段】
【００１０】
請求項１に記載の発明は、一定方向に搬送されるウェブを洗浄液で洗浄処理するウェブ洗浄方法であって、胴の表面が弾性材料または金属から形成され、前記ウェブが胴の下側の表面に巻き掛けられる一の搬送ローラと、胴の表面が弾性材料または金属から形成され、前記ウェブが胴の上側の面に巻き掛けられる他の搬送ローラとによって前記ウェブを支持しつつ、前記一の搬送ローラの表面に上方から洗浄液を供給するか、または前記洗浄液を、前記一の搬送ローラの表面における前記ウェブに接触する部分に供給して前記一の搬送ローラとウェブとの間に洗浄液の液溜りを形成すると共に、前記ウェブの一方または両方の側縁から洗浄液を流下させてウェブを洗浄処理する洗浄方法に関する。
【００１１】
請求項２に記載の発明は、請求項１に記載のウェブ洗浄方法において、前記一の搬送ローラの表面に向かって洗浄液噴射ノズルで洗浄液を噴射して洗浄液を供給するものに関する。
【００１２】
請求項３に記載の発明は、請求項２に記載のウェブ洗浄方法において、前記洗浄液噴射ノズルの下方に樋状部材を配置し、前記洗浄液噴射ノズルから噴射された洗浄液を前記樋状部材で承け、前記樋状部材の縁部から下方に溢流させ、前記一の搬送ローラの表面に洗浄液を供給するものに関する。
【００１３】
請求項４に記載の発明は、請求項１〜３の何れか１項に記載のウェブ洗浄方法において、前記ウェブが、純アルミニウムまたはアルミニウム合金のウェブであって平版印刷版用支持体に加工されるアルミニウムウェブであり、前記洗浄液が、前記アルミニウムの片面または両面をアルカリエッチングまたは交流電解処理して生じるスマットを除去するデスマット処理に使用されるデスマット液であり、前記洗浄処理は前記デスマット処理であるものに関する。
【００１４】
請求項５に記載の発明は、一定方向に搬送されるウェブを洗浄液で洗浄処理するウェブ洗浄装置であって、胴の表面が弾性材料または金属から形成され、前記ウェブが胴の下側の面に巻き掛けられる水平に配置された一の搬送ローラと、胴の表面が弾性材料または金属から形成され、前記ウェブが胴の上側の面に巻き掛けられる水平に配置された他の搬送ローラと、前記一の搬送ローラの表面に上方から洗浄液を供給するか、または前記洗浄液を、前記一の搬送ローラの表面における前記ウェブに接触する部分に供給して前記一の搬送ローラとウェブとの間に洗浄液の液溜りを形成すると共に、前記ウェブの一方または両方の側縁から洗浄液を流下させる液溜り形成手段と、を備えるものに関する。
【００１５】
請求項６に記載の発明は、請求項５に記載のウェブ洗浄装置において、前記洗浄液供給手段が、前記一の搬送ローラの表面に向かって洗浄液を噴射する洗浄液噴射ノズルを備えるものに関する。
【００１６】
請求項７に記載の発明は、請求項６に記載のウェブ洗浄装置において、前記洗浄液供給手段が、前記洗浄液噴射ノズルに加え、前記洗浄液噴射ノズルの下方に配置され、前記洗浄液噴射ノズルから噴射された洗浄液を承けて下方に溢流させる樋状部材を備えるものに関する。
【００１７】
請求項８に記載の発明は、請求項５〜７の何れか１項に記載のウェブ洗浄装置において、前記ウェブが、純アルミニウムまたはアルミニウム合金のウェブであるアルミニウムウェブであり、前記洗浄液は、前記アルミニウムの片面または両面をアルカリエッチングまたは交流電解処理して生じるスマットを除去するデスマット処理に使用されるデスマット液であり、前記洗浄処理が前記デスマット処理であるものに関する。
【００１８】
請求項９に記載の発明は、純アルミニウムまたはアルミニウム合金のウェブであるアルミニウムウェブを一定方向に搬送しつつ、前記アルミニウムウェブの一方または両方の面を粗面化して平版印刷版用支持体とするウェブ粗面化処理ラインであって、前記アルミニウムウェブを機械的に粗面化する機械的粗面化装置と、前記機械的粗面化装置で機械的に粗面化されたアルミニウムウェブをアルカリエッチング処理するエッチング処理槽と、前記エッチング処理槽でアルカリエッチング処理されたアルミニウムウェブを酸性電解液中で交流電解処理する電解粗面化処理槽と、前記エッチング処理槽と前記電解粗面化処理層との間、または前記アルミニウムウェブの搬送方向に沿って前記電解粗面化処理層の下流側に配設された請求項８に記載のウェブ洗浄装置と、を備えるものに関する。
【発明の効果】
【００１９】
請求項１のウェブ洗浄方法においては、前記一の搬送ローラにおいては、ウェブが下側の表面に巻き掛けられ、換言すれば前記一の搬送ローラにおける下側に当接する。
【００２０】
また、前記一の搬送ローラは、表面がゴムや熱可塑性エラストマ、軟質樹脂のような弾性材料、または金属から形成されている。
【００２１】
洗浄液が、上方から前記一の搬送ローラに供給され、または、前記一のローラとウェブとが接触する部分に供給されることにより、一の搬送ローラとウェブとの間に洗浄液の液溜りが形成される。そして、液溜りを形成した洗浄液は、前記一の搬送ローラの表面には殆ど吸収されることなく、前記ウェブの一方または両方の側縁から流下する。
【００２２】
したがって、新鮮な洗浄液のウェブの幅方向に沿った流れが形成されることから、洗浄液は、ウェブの全幅に亘って均一に接触しつつ、ウェブの側縁から流下する故に、ウェブ上を洗浄液が流下することによるスジ状の品質故障が生じることが効果的に防止される。
【００２３】
また、ウェブの表面に洗浄液を直接にスプレーする場合とは異なり、洗浄液の飛散が効果的に抑制される。更に、ウェブを洗浄液に浸漬して洗浄するＤｉｐ方式とは異なり、常に新鮮な洗浄液で洗浄できる上、洗浄液全体の汚染を防止できる。
【００２４】
更に、供給された洗浄液は、一の搬送ローラとウェブとの間の微小空間に送り込まれるから、洗浄液のウェブの幅方向および搬送方向の何れの方向にも攪拌されるから、洗浄処理が促進される。
【００２５】
一の搬送ローラの表面に上方から洗浄液を供給する方法によれば、洗浄液の飛散を特に効果的に抑えることができる。
【００２６】
一方、前記一の搬送ローラの表面における前記ウェブに接触する部分に供給する方法によれば、前記一の搬送ローラとウェブとの間に微小空間に洗浄液が直接供給されるから、洗浄液のウェブの幅方向および搬送方向の何れの方向にもより強く攪拌され、洗浄処理がより促進される。
【００２７】
ここで、「洗浄処理」は、ウェブの表面を何らかの液体で洗浄する処理であり、具体的には、水洗や後述するデスマット処理などがある。
【００２８】
請求項２のウェブ洗浄方法においては、一の搬送ローラに洗浄液を供給する手段として従来のデスマット処理装置で使用されていたものと同様の洗浄液噴射ノズルを流用することができるから、前記洗浄方法に使用するための設備の改修が容易である。
【００２９】
請求項３のウェブ洗浄方法においては、洗浄液噴射ノズルから噴射された洗浄液を前記樋状部材で承け、前記樋状部材の縁部から下方に溢流させ、前記一の搬送ローラの表面に洗浄液を供給しているから、洗浄液噴射ノズルから前記一の搬送ローラに向かって洗浄液を直接噴射する場合と比較して、前記一の搬送ローラにより均一に洗浄液を供給できる。
【００３０】
請求項４のウェブ洗浄方法によれば、デスマット処理においてアルミニウムウェブの表面をデスマット液が流下することによって生じるスジ状の品質故障の発生を効果的に防止できる。
【００３１】
請求項５のウェブ洗浄装置によれば、請求項１のところで説明したのと同様に、浄液が、上方から前記一の搬送ローラに供給され、または、前記一のローラとウェブとが接触する部分に供給されることにより、一の搬送ローラとウェブとの間に洗浄液の液溜りが形成される。液溜りを形成した洗浄液は、前記一の搬送ローラの表面には殆ど吸収されることなく、前記ウェブの一方または両方の側縁から流下する。
【００３２】
したがって、新鮮な洗浄液のウェブの幅方向に沿った流れが形成されることから、洗浄液は、ウェブの全幅に亘って均一に接触しつつ、ウェブの側縁から流下する故に、ウェブ上を洗浄液が流下することによるスジ状の品質故障が生じることが効果的に防止される。
【００３３】
また、供給された洗浄液は、一の搬送ローラとウェブとの間の微小空間に送り込まれるから、洗浄液のウェブの幅方向および搬送方向の何れの方向にも攪拌され、洗浄処理が促進される。
【００３４】
さらに、ウェブの表面に洗浄液を直接にスプレーする形態のウェブ洗浄装置とは異なり、洗浄液の飛散が効果的に抑制される。更に、ウェブを洗浄液に浸漬して洗浄するＤｉｐ方式とは異なり、常に新鮮な洗浄液で洗浄できる上、洗浄液全体の汚染を防止できる。
【００３５】
一の搬送ローラの表面に上方から洗浄液を供給するウェブ洗浄装置においては、洗浄液の飛散を特に効果的に抑えることができる。
【００３６】
一方、前記一の搬送ローラの表面における前記ウェブに接触する部分に供給するウェブ洗浄装置によれば、前記一の搬送ローラとウェブとの間に微小空間に洗浄液が直接供給されるから、洗浄液のウェブの幅方向および搬送方向の何れの方向にもより強く攪拌され、洗浄処理がより促進される。
【００３７】
請求項６のウェブ洗浄装置においては、一の搬送ローラに洗浄液を供給する手段として従来のデスマット処理装置で使用されていたものと同様の洗浄液噴射ノズルを流用することができるから、前記ウェブ洗浄装置への改修が容易である。
【００３８】
請求項７のウェブ洗浄装置においては、洗浄液噴射ノズルから噴射された洗浄液を前記樋状部材で承け、前記樋状部材の縁部から下方に溢流させ、前記一の搬送ローラの表面に洗浄液を供給しているから、洗浄液噴射ノズルから前記一の搬送ローラに向かって洗浄液を直接噴射するウェブ洗浄装置と比較して、前記一の搬送ローラへの洗浄液の供給がより均一に行われる。
【００３９】
したがって、ウェブ上を洗浄液が流下することによるスジ状の品質故障が生じることが効果的に防止される。
【００４０】
請求項８のウェブ洗浄装置によれば、デスマット処理装置においてアルミニウムウェブの表面をデスマット液が流下することによって生じるスジ状の品質故障の発生を効果的に防止できる。
【００４１】
請求項９のウェブ粗面化処理ラインによれば、アルカリエッチング処理および交流電解処理によってアルミニウムウェブ表面に生じるスマットが効果的に除去され、しかもデスマット処理においてアルミニウムウェブの表面をデスマット液が流下することによって生じるスジ状の品質故障の発生も効果的に防止されるから、外観に優れた平版印刷版支持体が得られる。
【発明を実施するための最良の形態】
【００４２】
１．実施形態１
【００４３】
以下、本発明のウェブ洗浄装置の一例であるデスマット処理装置について以下に説明する。
【００４４】
実施形態１に係るデスマット処理装置１０は、デスマット槽１と、デスマット槽１の底面近傍に水平に配設された３本の搬送ローラ２と、デスマット槽１の天井面近傍に水平に配設された２本の搬送ローラ３と、デスマット槽１においてアルミニウムウェブＷが導入されるウェブ導入口１Ａに水平に配設されたウェブ導入ローラ４と、デスマット槽１においてアルミニウムウェブＷが導出されるウェブ導出口１Ｂに水平に配設されたウェブ導出ローラ５と、搬送ローラ２の上方に１本の搬送ローラ２について２本ずつ配設されたスプレー管６とを備える。
【００４５】
搬送ローラ２および搬送ローラ３は、夫々本発明の一の搬送ローラおよび他の搬送ローラに相当する。また、スプレー管６は、本発明における洗浄液供給手段および洗浄液噴射ノズルに相当する。なお、搬送ローラ２，３の本数は夫々３本および２本には限定ざれず、夫々１本ずつであってもよく、３本および２本よりも多くてもよい。
【００４６】
デスマット槽１の外側におけるウェブ導入口１Ａおよびウェブ導出口１Ｂの近傍には、夫々ニップローラ７、８が配設されている。
【００４７】
スプレー管６としては、図２において（Ａ）に示すように管体に一定の間隔で本発明の洗浄液に相当するデスマット液を噴射するデスマット液噴射孔を穿設したものが用いられる。スプレー管６は、通常は図１に示すようにデスマット液噴射孔６Ａが搬送ローラ２を向くように配設されるが、図３に示すように、デスマット液噴射孔６Ａが搬送ローラ２とアルミニウムウェブＷとの間に形成される液溜りＰを向くように配設されてもよい。
【００４８】
更に、図２において（Ｂ）に示すように、デスマット液噴射孔６Ａが下方に向くようにスプレー管６を配設するとともに、スプレー管６の下方に樋状部材９を配設し、デスマット液噴射孔６Ａから噴射されたデスマット液が、同図において矢印ｂで示すように樋状部材９を溢流して搬送ローラ２の表面または駅溜りＰに向かって流下するようにしてもよい。
【００４９】
搬送ローラ２、３は、何れも表面がゴムやエラストマ、軟質樹脂のような弾性材料、または金属から形成されている。ゴムとしては、ポリブタジエンゴム、エチレンプロピレンゴム、弗素ゴム、ポリイソプレンゴム、エチレン・プロピレン・ジエン三元共重合体、ニトリルゴム、アクリルゴムなどの合成ゴム、天然ゴム、および塩素化ゴムのような半合成ゴムなどが挙げられる。エラストマとしては、ポリウレタン系エラストマ、エポキシ樹脂系エラストマ、ポリウレタン系エラストマ、ポリアミド系エラストマ、ポリオレフィン系エラストマなどがある。軟質樹脂としては、軟質塩化ビニル樹脂および塩化ビニル・酢酸ビニル共重合体などがある。金属としてはステンレス鋼やチタニウム及びその合金などがある。また、表面がクローム鍍金またはニッケル鍍金された鋼鉄製であってもよい。
【００５０】
なお、アルミニウムウェブＷは、粗面化された側の面が搬送ローラ２に当接し、粗面化された側とは反対側の面が搬送ローラ３に当接するように搬送ローラ２および３に巻き掛けられる。そして、ニップローラ７および８によって図１において矢印ａに示すように左方から右方に向かって搬送される。
【００５１】
デスマット処理装置１０で使用されるデスマット液としては、酸性電解液が挙げられる。酸性電解液としては、硫酸、塩酸、硝酸、燐酸、スルホン酸などの無機または有機の強酸の溶液が挙げられる。強酸の濃度は５〜３５質量％が好ましい。また、アルミニウムイオンなどの金属イオンを含んでいてもよい。
【００５２】
デスマット処理装置１０は、アルミニウムウェブＷの一方または両方の面を粗面化するウェブ粗面化処理ライン（図示せず。）におけるエッチング処理槽（図示せず。）と電解粗面化処理層（図示せず。）との間、またはアルミニウムウェブＷの搬送方向ａに沿って前記電解粗面化処理層の下流側に配設される。デスマット処理装置１０をエッチング処理層と電解粗面化処理装置との間に配設するときは、エッチング処理層とデスマット処理装置１０との間、デスマット処理装置１０を電解粗面化処理装置の下流側に配設するときは電解粗面化処理装置とデスマット処理装置１０との間にアルミニウムウェブＷを水洗する水洗装置を配設してもよい。
【実施例】
【００５３】
１．実施例１
【００５４】
図１に示すデスマット処理装置１０を組み込んだウェブ粗面化処理ラインを用いて幅１４００ｍｍの純アルミニウムからなるアルミニウムウェブＷの一方の面を粗面化し、平版印刷版用支持体を製造した。
【００５５】
前記ウェブ粗面化処理ラインは、アルミニウムウェブＷの一方の面を機械的に粗面化する機械的粗面化装置と、前記機械的粗面化装置で機械的に粗面化されたアルミニウムウェブＷにおける粗面化面をアルカリエッチング処理するエッチング処理槽と、前記エッチング処理槽でアルカリエッチング処理されたアルミニウムウェブＷを水洗する第一の水洗装置と、前記第一の水洗装置で水洗したアルミニウムウェブＷをデスマット処理するデスマット処理装置１０と、前記デスマット処理装置１０でデスマット処理されたアルミニウムウェブＷを酸性電解液中で交流電解処理する電解粗面化処理槽と、前記電解粗面化処理装置で交流電解処理されたアルミニウムウェブＷを水洗する第二の水洗装置とを有する。
【００５６】
デスマット処理装置１０においては、スプレー管６として、長さ１７５０ｍｍの管に２０ｍｍのピッチで直径３ｍｍのデスマット液噴射孔６Ａを用い、デスマット液噴射孔６Ａが下方を向くように配設した。
【００５７】
ライン速度は８０ｍ／分に設定した。また、デスマット液としては、硫酸を１５質量％、アルミニウムイオンを７．５質量％含有する酸性電解液を用いた。
【００５８】
得られた平版印刷版用支持体を目視観察した結果、アルミニウムウェブＷにおける搬送ローラ２および３の間の部分に同様のスプレー管でデスマット液を噴射した場合とは異なり、スジ状の汚れは認められなかった。
【産業上の利用可能性】
【００５９】
本発明のウェブ洗浄方法およびウェブ洗浄装置は、アルミニウムウェブのデスマット処理だけでなく、金属ウェブや合成樹脂フィルムのウェブなどの洗浄にも使用される。
【図面の簡単な説明】
【００６０】
【図１】図１は、実施形態１に係るデスマット処理装置の構成を示す概略図である。
【図２】図２は、実施形態１に係るデスマット処理装置におけるスプレー管の構成を示す側面部及び正面図である。
【図３】図３は、実施形態１に係るデスマット処理装置におけるスプレー管の別の例を示す概略図である。
【符号の説明】
【００６１】
１      デスマット槽
１Ｂ    ウェブ導出口
１Ａ    ウェブ導入口
２      搬送ローラ
３      搬送ローラ
４      ウェブ導入ローラ
５      ウェブ導出ローラ
６      スプレー管
６Ａ    デスマット液噴射孔
７      ニップローラ
８      ニップローラ
９      樋状部材
１０      デスマット処理装置
【図１】
2010052939.tif 000003
【図２】
2010052939.tif 000004
【図３】
2010052939.tif 000005